(57)【要約】  各種商品が過度に高い価格で販売されることがない形で、各種商品のオークション販売が行えるオークション装置を、提供する。  オークション装置を、各種商品について、その商品の入札価格の上限値等として使用される推奨販売希望価格を算出する機能と、商品の入札価格の上限値等として使用される指定販売希望価格を出品希望者に指定させ、出品希望者が指定した指定販売希望価格が算出された推奨販売希望価格よりも高かった場合には、指定販売希望価格の変更指示を出力する機能とを、備えた装置と構成しておく。【特許請求の範囲】
【請求項１】
ネットワークを介してオークションを行なうためのオークション装置であって、
多数の商品のそれぞれについて、その商品の種類及び状況に応じて基準価格を予め記憶した基準価格記憶手段と、
オークションの対象として、出品依頼対象商品の種類及び状況を示す商品情報と、指定販売希望価格とを取得する取得手段と、
当該出品依頼対象商品について、前記基準価格記憶手段に記憶されている基準価格と前記商品情報とを利用して推奨販売希望価格を算出し、算出した推奨販売希望価格が前記取得手段により取得された指定販売希望価格よりも少なかった場合には、該指定販売希望価格の変更指示を出力する販売希望価格調整手段
とを、備えることを特徴とするオークション装置。
【請求項２】
前記販売希望価格調整手段が、
前記出品依頼対象商品に対して用いる補正係数をオペレータに入力させ、入力された補正係数と、当該商品について前記基準価格記憶手段に記憶されている基準価格とを用いた演算処理により、前記推奨販売希望価格を算出する手段である
ことを特徴とする請求項１記載のオークション装置。
【請求項３】
前記オークション装置はさらに、
前記指定販売希望価格が前記推奨販売希望価格以下であった場合に、前記出品依頼対象商品をオークションの対象として登録する販売対象商品登録手段と、
前記販売対象商品登録手段により登録された前記出品依頼対象商品に関する情報を入札可能な状態で出力する商品情報提示手段と、
前記出力した前記出品依頼対象商品につき、入力された入札価格が該出品依頼対象商品に対して算出された前記推奨販売希望価格以下であった場合に、入札を受け付ける入札受付手段と、
を備えることを特徴とする請求項１記載のオークション装置。
【請求項４】
コンピュータを、
多数の商品のそれぞれについて、その商品の種類及び状況に応じて基準価格を予め記憶した基準価格記憶手段と、
オークションの対象として、出品依頼対象商品の種類及び状況を示す商品情報と、指定販売希望価格とを取得する取得手段と、
当該出品依頼対象商品について、前記基準価格記憶手段に記憶されている基準価格と前記商品情報とを利用して推奨販売希望価格を算出し、算出した推奨販売希望価格が前記取得手段により取得された指定販売希望価格よりも少なかった場合には、該指定販売希望価格の変更指示を出力する販売希望価格調整手段
とを、備える装置として動作させることを特徴とするオークションプログラム。
【発明の詳細な説明】
【技術分野】
【０００１】
本発明は、商品をオークションにて販売するためのオークション装置、コンピュータをオークション装置として機能させるためのオークションプログラムに、関する。
【背景技術】
【０００２】
周知のように、近年、インターネットを利用して、出品者が指定した価格で商品を買うか否かを問う形のオークション（特許文献１参照）や、最も高価格で入札を行った者に商品を販売するオークションが行われているが、後者のタイプのオークションは、各商品が、本来，販売されるべき価格よりも高価な価格で販売される傾向が強いものとなっている。
【特許文献１】特開２００２−７４０７５
【発明の開示】
【発明が解決しようとする課題】
【０００３】
そこで、本発明の課題は、各種商品が過度に高い価格で販売されることがない形で、各種商品のオークション販売が行えるオークション装置を、提供することにある。【０００４】
また、本発明の他の課題は、コンピュータを、各種商品が過度に高い価格で販売されることがない形で各種商品のオークション販売が行えるオークション装置として動作させることが出来るオークションプログラムを、提供することにある。
【課題を解決するための手段】
【０００５】
上記課題を解決するために、本発明では、ネットワークを介してオークションを行なうためのオークション装置が、多数の商品のそれぞれについて、その商品の種類及び状況に応じて基準価格を予め記憶した基準価格記憶手段と、オークションの対象として、出品依頼対象商品の種類及び状況を示す商品情報と、指定販売希望価格とを取得する取得手段と、当該出品依頼対象商品について、前記基準価格記憶手段に記憶されている基準価格と前記商品情報とを利用して推奨販売希望価格を算出し、算出した推奨販売希望価格が前記取得手段により取得された指定販売希望価格よりも少なかった場合には、該指定販売希望価格の変更指示を出力する販売希望価格調整手段とを備えた装置として構成される。【０００６】
すなわち、本発明のオークション装置は、出品希望者が指定した指定販売希望価格が不適切なもの（推奨販売希望価格よりも高いもの）であった場合には、指定販売希望価格の変更指示を出力する装置となっている。従って、本発明のオークション装置を用いれば、各種商品が過度に高い価格で販売されることがない形で、各種商品のオークション販売を行える環境を実現できることになる。【０００７】
本発明のオークション装置を実現するに際しては、販売希望価格調整手段として、前記出品依頼対象商品に対して用いる補正係数をオペレータに入力させ、入力された補正係数と、当該商品について前記基準価格記憶手段に記憶されている基準価格とを用いた演算処理により、前記推奨販売希望価格を算出する手段を採用しておくことが出来る。また、本発明のオークション装置を、前記指定販売希望価格が前記推奨販売希望価格以下であった場合に、前記出品依頼対象商品をオークションの対象として登録する販売対象商品登録手段と、前記販売対象商品登録手段により登録された前記出品依頼対象商品に関する情報を入札可能な状態で出力する商品情報提示手段と、前記出力した前記出品依頼対象商品につき、入力された入札価格が該出品依頼対象商品に対して算出された前記推奨販売希望価格以下であった場合に、入札を受け付ける入札受付手段とを、さらに備えた装置としておくことも出来る。【０００８】
そして、本発明のオークションプログラムは、コンピュータを、本発明のオークション装置（請求項１記載のもの）相当の装置として動作させることができるものとなっている。従って、本発明のオークションプログラムを用いても、各種商品が過度に高い価格で販売されることがない形で、各種商品のオークション販売を行える環境を実現できることになる。
【発明の効果】
【０００９】
本発明のオークション装置，オークションプログラムを用いれば、各種商品が過度に高い価格で販売されることがない形で、各種商品のオークション販売を行える環境を実現できることになる。
【発明を実施するための最良の形態】
【００１０】
以下、本発明を実施するための最良の形態を、図面を参照して詳細に説明する。【００１１】
まず、図１を用いて、本発明の一実施形態に係るオークション装置１０の概要を、説明する。【００１２】
図示してあるように、本実施形態に係るオークション装置１０は、複数台のユーザＰＣ及び複数台の管理用ＰＣとインタネットやＬＡＮなどの通信回線を介して接続された状態で運用される装置である。なお、ユーザＰＣとは、オークションに商品を出品したり、入札を行なったりする一般ユーザ（会員或いは非会員）が使用するコンピュータのことである。また、管理用ＰＣとは、オペレータ（オークション装置１０の運営者側の人間）が使用するコンピュータのことである。【００１３】
そして、オークション装置１０は、コンピュータ２０（サーバとして使用可能な仕様のもの）のＨＤＤ２１に、会員情報データベース１１，商品情報データベース１２，購入希望価格データベース１３，販売対象商品情報データベース１４，オークションプログラム１５，各種Ｗｅｂページのソースデータ（ＨＴＭＬデータ、イメージデータ等），各種雛型データ（それを加工することにより、ＨＴＭＬデータを作成できるデータ）等を記憶させることによって実現（構成）された装置となっている。【００１４】
このオークション装置１０は、ネットオークションを行うための装置である。オークション装置１０は、出品依頼者によって指定された販売希望価格が，出品対象商品についての販売希望価格として妥当な価格ではなかった場合には、販売希望価格の変更指示を出力することにより，出品依頼者に販売希望価格を見直させる装置となっている。また、オークション装置１０は、入札価格が高すぎると判断した場合には、入札を受け付けない装置となっている。【００１５】
以上のことを前提として、以下、本実施形態に係るオークション装置１０の構成及び動作を、さらに具体的に説明する。【００１６】
ＨＤＤ２１に記憶されている会員情報データベース１１，商品情報データベース１２，購入希望価格データベース１３，販売対象商品情報データベース１４は、それぞれ、図２〜図５に示した構成のデータベース（詳細は後述）である。【００１７】
ＨＤＤ２１に記憶されているオークションプログラム１５は、オークション装置１０を、図６に模式的に示してあるようにリンクされたＷｅｂページ群を管理用ＰＣ（Ｗｅｂブラウザ）に表示させる処理や、図７に模式的に示してあるようにリンクされたＷｅｂページ群をユーザＰＣ（Ｗｅｂブラウザ）に表示させる処理等を行える装置として動作させるプログラムである。【００１８】
管理用トップページ（図６）は、自装置に対してアクセスしてきた管理用ＰＣ（Ｗｅｂブラウザ）に、オークション装置１０が最初に表示させるＷｅｂページである。この管理用トップページには、それを操作することにより、特定のジャンルの商品に関する，図８に示した構成の価格評価ページが表示されることになる複数のアイテム（以下、価格評価ページ用リンクアンカーと表記する）が設けられている。この価格評価ページに関するオークション装置１０の動作内容は後ほど説明するが、本実施形態に係るオークション装置１０は、各商品に関する価格評価ページを利用して各商品に関する補正値を設定／変更する処理が、オペレータによって、適宜行われる形で運用される装置となっている。【００１９】
トップページ（図７）は、自装置に対してアクセスしてきたユーザＰＣ（Ｗｅｂブラウザ）に、オークション装置１０が最初に表示させるＷｅｂページである。【００２０】
このトップページには、それを操作することにより、会員登録ページが表示されることになるアイテム（以下、会員登録ページ用リンクアンカーと表記する）や、それを操作することによりログインダイアログボックスが表示されることになるアイテム（以下、会員登録ページ用リンクアンカーと表記する）が、設けられている。【００２１】
トップページ上の会員登録ページ用リンクアンカーを操作することにより表示される会員登録ページは、会員登録手続き用のＷｅｂページである。この会員登録ページは、一般的に使用されている会員登録手続き用のＷｅｂページと同様に、氏名，Ｅメールアドレス，パスワード等を入力できるものとなっている。そして、オークション装置１０のＨＤＤ２１に記憶されている会員情報データベース１１は、図２から明らかなように、この会員登録ページに会員登録手続者によって入力された各種情報と、会員登録手続者に対してオークション装置１０が割り当てた会員ＩＤ等とからなる情報（レコード）を記憶しておくためのデータベースとなっている。【００２２】
会員トップページ（図７）は、トップページ上の会員トップページ用リンクアンカーを操作した際に表示されるログインダイアログボックスに、会員ＩＤ及びパスワード（その組合せが、会員情報データベース１１に記憶されているもの）を入力することにより表示されるＷｅｂページである。【００２３】
この会員トップページには、それを操作することにより出品依頼ページが表示されることになるアイテム（以下、出品依頼ページ用リンクアンカーと表記する）、それを操作することにより特定のジャンルの商品に関する商品紹介ページが表示されることになる複数のアイテム（以下、商品紹介ページ用リンクアンカーと表記する）が、設けられている。また、会員トップページには、価格変更依頼メール（詳細は後述）を受信した者がそれを操作することにより価格確認ページが表示されることになるアイテム（それが操作された場合、オークション装置１０が、操作者に関する価格確認ページのソースデータの有無を判断し、操作者に関する価格確認ページのソースデータが存在していた場合には、それを返送するアイテム；以下、価格確認ページ用リンクアンカーと表記する）も、設けられている。【００２４】
なお、価格オークション装置１０は、或る会員に会員用トップページを提供した際（ログインダイアログボックスに、会員情報データベース１１に登録されている会員ＩＤとパスワードの組合せが入力された際）には、当該会員に対するセッション管理処理（その後に、当該会員のユーザＰＣから送信されてくる各種の要求を，同一の会員／ユーザＰＣからのものであるとして取り扱うための処理）を開始する装置となっている。【００２５】
会員トップページ上の各商品紹介ページ用リンクアンカーを操作することにより表示される商品紹介ページは、図９に模式的に示したように、商品カタログ領域５１、販売希望価格表示欄５２，購入希望価格入力欄５３，戻るボタン５４，ログアウトボタン５５，購入希望価格送信ボタン５６，前へボタン５７，次へボタン５８等を備えたＷｅｂページである。【００２６】
この商品紹介ページが備える商品カタログ領域５１は、販売対象商品に関する各種情報として商品名や、商品の外観を表す画像情報などが示される領域である。販売希望価格表示欄５２は、販売対象商品に対して定められている販売希望価格（詳細は後述）が示されるアイテムである。購入希望価格入力欄５３は、販売対象商品の購入希望価格（入札価格）を入力するためのアイテムである。【００２７】
前へボタン５７，次へボタン５８は、それぞれ、その押下により、同一ジャンルに属する前商品，次商品に関する商品紹介ページが、ユーザＰＣのディスプレイ上（Ｗｅｂブラウザのウィンドウ内）に表示されることになるボタンである。ただし、前へボタン５７，次へボタン５８は、それぞれ、同一ジャンルに属する前商品，次商品に関する商品紹介ページが存在する場合にのみ機能するボタンとなっている。【００２８】
戻るボタン５４は、その押下により、ディスプレイ上に、会員トップページが再表示されることになるボタンである。ログアウトボタン５５は、その押下により、オークション装置１０が実行している，商品紹介ページの閲覧者に対するセッション管理処理が終了されることになるボタンである。また、ログアウトボタン５５は、その押下により、いわゆるサンキューページがディスプレイ上に表示されることになるボタンともなっている。【００２９】
購入希望価格送信ボタン５６は、商品紹介ページで紹介されている販売対象商品を購入しようと考えた会員が、購入希望価格入力欄５３に購入希望価格を入力してから押下すべきボタンである。【００３０】
この購入希望価格送信ボタン５６は、その押下時に、購入希望価格入力欄５３に入力された購入希望価格、販売対象商品の商品コード、及び、該画面を操作しているユーザの会員ＩＤや販売対象商品の出品者の会員ＩＤを含む入札要求がユーザＰＣからオークション装置１０に向けて通信回線上に送信されることになるボタンである。【００３１】
ユーザＰＣから入札要求を受信したオークション装置１０は、受信したデータによって示される商品につき販売対象商品情報データベース１４の推奨販売希望価格欄に登録されている価格を参照し、該購入希望価格が該推奨販売希望価格以下であれば、受信した入札要求を有効とする。また、該購入希望価格が該推奨販売希望価格欄に登録されている価格を超えていた場合には、オークション装置１０は入札要求を無効とし、入力されている購入希望価格が高すぎる旨のメッセージが示されたダイアログボックスが該入札要求を送信してきたユーザＰＣに表示されることになる。なお、購入希望価格が高すぎる旨のメッセージを受信したユーザＰＣを利用する会員は、該メッセージを見ることで、該商品につき入札する場合には購入希望価格を、先に入力した価格よりも低くして再入力する必要があることを知ることができる。【００３２】
そして、オークション装置１０のＨＤＤ２１に記憶されている購入希望価格データベース１３は、図４から明らかなように、入札要求を受信したオークション装置１０によって購入希望情報として、入札要求中に含まれる購入希望価格と、入札要求をユーザＰＣに送信させた会員の会員ＩＤとからなる情報などが追加されていくデータベースとなっている。【００３３】
会員トップページ上の出品依頼ページ用リンクアンカーを操作することにより表示される出品依頼ページ（図７参照）は、商品特定用情報，商品状況情報，備考情報，販売期間指定情報，指定販売希望価格を入力するための複数の情報入力欄，画像ファイル名を入力するための画像ファイル名入力欄，参考ファイル名を入力するための参考ファイル名入力欄，送信ボタン等を備えたＷｅｂページである。【００３４】
この出品依頼ページに対して会員（出品依頼者）が入力すべき商品特定用情報は、出品依頼商品の名称，型番等からなる情報など、商品を特定するために利用可能な情報として出品依頼者が知っている情報群である。また、商品状況情報は、例えばキズ無，未開封等の出品依頼商品の状況を示す情報である。オークション終了日は、出品依頼商品に関する入札を受け付ける期間の終了日を指定するための情報である（当該期間の開始日については、後述する）。備考情報は、商品特定用情報，商品状況情報以外の出品依頼商品の価格に影響を与える情報である。画像ファイル名は、出品依頼商品の外観を示す画像ファイル（会員が用意したもの）のファイル名である。参考ファイル名は、出品依頼商品の価値を証明するための例えば、鑑定書ファイルなどのファイル名である。指定販売希望価格は、出品依頼者である会員が、出品依頼商品の対価として得られることが望ましいと考えている価格である。【００３５】
出品依頼ページに設けられている送信ボタンは、それを押下することにより、出品依頼ページ上の各情報入力欄に入力されている情報と，各ファイル名入力欄に入力されているファイル名で特定されるファイルとを含む出品依頼要求がオークション装置１０へ向けて通信回線上に送信されることになるボタンである。【００３６】
そして、オークション装置１０は、出品依頼ページ上の送信ボタンを押下することにより送信される出品依頼要求を受信した場合、図１０にその手順を示した出品依頼要求応答処理を行う装置として構成されている。【００３７】
この出品依頼要求応答処理の内容を説明する前に、出品依頼要求応答処理時に利用される商品情報データベース１２（図３）の構成、販売対象商品情報データベース１４（図５）の構成を、説明しておくことにする。【００３８】
図３に示してあるように、商品情報データベース１２は、商品特定用情報，ジャンルコード，商品コード及び基準価格が設定されている商品情報レコードを、多数の商品のそれぞれについて記憶したデータベースである。【００３９】
この商品情報データベース１２の各商品情報レコードに設定されている商品特定用情報は、商品名，商品の製造者名，型番等からなる情報など、商品を特定するために使用できるデータの集合である。商品コードは、対応商品（同一の商品情報レコード内の商品特定用情報或いは商品コードで特定される商品）の識別情報としてオークション装置１０が使用する情報である。ジャンルコードは、例えばおもちゃやコイン等、対応商品が属しているジャンルを示す情報としてオークション装置１０が使用する情報であり、基準価格は、いわゆる相場価格であって、対応商品が通常の品質であった場合の一般的な販売価格としてオークション装置１０が使用する情報である。【００４０】
要するに、この商品情報データベース１２は、商品の名称等、出品依頼者が出品依頼ページに対して入力した情報から、商品コード、ジャンルコード，基準価格を検索できるようにするために、オークション装置１０内に用意されているデータベースとなっている。【００４１】
販売対象商品情報データベース１４（図５）は、出品依頼を受け付けた商品に関する各種情報を記憶しておくためのデータベースである。この販売対象商品情報データベース１４は、図示してあるように、ジャンルコード，商品コード，売手会員ＩＤ，商品特定用情報，商品状況情報，販売期間指定情報，備考情報、画像ファイル名，参考ファイル名，指定販売希望価格，基準価格，商品状況補正率，推奨販売希望価格，掲載販売希望価格，ステータスを設定可能な販売対象商品情報レコードを記憶可能な構成のデータベースとなっている。【００４２】
そして、オークション装置１０が実行する出品依頼要求応答処理（図１０）は、これらのデータベースを利用して行われる，以下の内容の処理となっている。【００４３】
すなわち、出品依頼要求応答処理を開始したオークション装置１０は、まず、出品が依頼された商品（以下、出品依頼対象商品と表記する）に関するジャンルコード，商品コード，基準価格を、商品情報データベース１２（図３）から読み出す処理(ステップＳ１０１)を行う。より具体的には、このステップＳ１０１において、オークション装置１０は、受信した出品依頼要求に含まれる商品特定用情報と、主要な情報が一致している商品特定用情報に対応付けられているジャンルコード，商品コード，基準価格を、商品情報データベース１２から読み出す処理を、行う。【００４４】
次いで、オークション装置１０は、商品情報データベース１２から読み出したジャンルコード，商品コード及び基準価格と，受信した出品依頼要求中の各種情報と，当該出品依頼要求をユーザＰＣに送信させた会員の会員ＩＤとを設定し、補正率として“０”を設定し、ステータスとして“未評価”を設定した販売対象商品情報レコードを、販売対象商品情報データベース１４（図５）に追加する処理(ステップＳ１０２)と、出品依頼要求の送信元ユーザＰＣに出品依頼受付完了通知ページを表示させるための処理(ステップＳ１０３)とを行う。なお、出品依頼受付完了通知ページとは、出品依頼を受け付けたことや，商品紹介ページの公開を開始した場合，或いは，販売希望価格の見直しが必要な場合にはＥメールを送信することなどを出品依頼者に通知するためのＷｅｂページのことである。【００４５】
そして、ステップＳ１０３の処理を終えたオークション装置１０は、出品依頼対象商品に関し、オペレータが使用する管理用ＰＣに表示させるための価格評価ページ用のソースデータを作成する処理(ステップＳ１０４)を行う。【００４６】
ここで、価格評価ページとは、図８に示してあるように、商品カタログ用領域７１、ステータス表示欄７２，指定販売希望価格表示欄７３，基準価格表示欄７４，商品状況補正率入力欄７５，推奨販売希望価格表示欄７７，設定ボタン７８，終了ボタン７９，前へボタン８０，次へボタン８１等を備えたＷｅｂページのことである。【００４７】
この価格評価ページ上の商品状況補正率入力欄７４は、商品状況補正率を入力する（内部に表示されている数値を変更する）ことが可能なアイテムである。推奨販売希望価格表示欄７７は、商品状況補正率入力欄７４に入力されている商品状況補正率，指定販売希望価格表示欄７３に表示されている指定販売希望価格から、以下の（１）式にて算出される推奨販売希望価格が、その内部に示されるアイテムである。
推奨販売希望価格
＝基準価格×（１００＋商品状況補正率）×規定値／１００  …（１）
なお、この（１）式における規定値とは、予め定められている値（本実施形態では、１．１）のことであり、オペレータが別途、適宜に設定可能な値である。【００４８】
設定ボタン７８は、その押下時に、その時点における商品状況補正率及び推奨販売希望価格と，この価格評価ページ上に各種情報が示されている商品の商品コードと、当該商品を出品している会員の会員ＩＤ（以下、売手会員ＩＤとも表記する）とを含む評価結果登録要求が管理用ＰＣからオークション装置１０に向けて通信回線上に送信されることになるボタンである。【００４９】
前へボタン８０，次へボタン８１は、それぞれ、その押下により、同一ジャンルに属する前商品，次商品に関する価格評価ページが存在する場合には、その価格評価ページが、管理用ＰＣのディスプレイ上（Ｗｅｂブラウザのウィンドウ内）に表示されることになるボタンである。終了ボタン７９は、その押下により、ディスプレイ上に、管理用トップページが再表示されることになるボタンである。【００５０】
そして、上記したステップＳ１０４（図１０）で行われる処理は、ステップＳ１０２の処理にて販売対象商品情報データベース１４内に追加された各種情報に応じた内容の価格評価ページをＷｅｂブラウザに表示させることが出来るソースデータを、ＨＤＤ２１上に用意されている価格評価ページ用の雛型データを加工することにより作成する処理となっている。また、ステップＳ１０４の処理は、既に作成してある，特定の価格評価ページ用のソースデータの内容を変更する処理（今回、ソースデータを作成した価格評価ページを、既存の価格評価ページ上の次へボタン８１とリンクさせるための処理）も行われる処理となっている。【００５１】
なお、詳細説明は省略するが、オークション装置１０は、作成した価格評価ページのソースデータを、オークション終了日の２４：００に、破棄する装置となっている。なお価格評価ページのソースデータをいつ破棄するかは、運用状況に合わせて適宜定めることができる。【００５２】
オークション装置１０は、上記評価結果登録要求を受信した場合、図１１に示した手順の評価結果登録要求応答処理を開始するようにも構成されている。【００５３】
すなわち、評価結果登録要求を受信したオークション装置１０は、まず、受信した評価結果登録要求に含まれている商品コード及び売手会員ＩＤにて特定される出品依頼対象商品に関するレコードを販売対象商品情報データベース１４から検索し、該出品依頼対象商品に関するレコード内の商品状況補正率及び推奨販売希望価格を、受信した評価結果登録要求にふくまれているものに書き換える(ステップＳ２０１)。次いで、オークション装置１０は、該出品依頼対象商品に関する推奨販売希望価格と指定販売希望価格との間の大小関係を判断する(ステップＳ２０２)。【００５４】
推奨販売希望価格が指定販売希望価格を超えていた場合(ステップＳ２０２；ＹＥＳ)、オークション装置１０は、該出品依頼対象商品に関するレコード内の掲載販売希望価格，ステータスを、指定販売希望価格と同じ価格，“評価完了”に変更する処理(ステップＳ２０３)と、該出品依頼対象商品に関する価格評価ページ用のソースデータを、変更後の各情報が初期値或いは変更不可能な情報として示される価格評価ページが表示されることになるものに加工する処理(ステップＳ２０４)とを、行う。【００５５】
そして、オークション装置１０は、該出品依頼対象商品に関する商品紹介ページ用のソースデータを作成する処理(ステップＳ２０５)と、商品紹介ページの公開を開始したことを通知するための公開開始通知メールを該出品依頼対象商品の出品依頼者に対して送信する処理(ステップＳ２０６)とを行ってから、この評価結果登録要求応答処理を終了する。【００５６】
一方、推奨販売希望価格が指定販売希望価格以下となっていた場合(ステップＳ２０２；ＮＯ)、オークション装置１０は、該出品依頼対象商品に関するレコード内のステータスを、“確認中”に変更する処理(ステップＳ２０７)と、該出品依頼対象商品に関する価格評価ページ用のソースデータを、変更後の各情報が初期値或いは変更不可能な情報として示される価格評価ページが表示されることになるものに加工する処理(ステップＳ２０８)とを行う。【００５７】
その後、オークション装置１０は、該出品依頼対象商品に関する価格確認ページ用のソースデータを作成する処理(ステップＳ２０９)を、行う。【００５８】
このステップＳ２０９の処理によりそのソースデータが作成される価格確認ページは、図１２に示したように、注目商品に関する各種情報として例えば、商品名や、商品の外観を表す画像情報などが示される商品カタログ領域６１、注目商品に関する指定販売希望価格が示される指定販売希望価格表示欄６２、推奨販売希望価格が示される推奨販売希望価格表示欄６３等を備えたＷｅｂページである。指定販売希望価格表示欄６２に表示される価格は、出品依頼者である会員によって更新可能な状態になっており、推奨販売希望価格表示欄６３に表示される価格は更新は不可能な状態になっている。【００５９】
この価格確認ページ上の戻るボタン６４、ログアウトボタン６５は、商品評価ページ戻るボタン５４、ログアウトボタン５５と同機能のボタンである。前へボタン６８，次へボタン６９は、それぞれ、その押下により、同一ジャンルに属する前商品，次商品に関する価格確認ページが存在する場合には、その価格確認ページが、ユーザＰＣのディスプレイ上（Ｗｅｂブラウザのウィンドウ内）に表示されることになるボタンである。【００６０】
価格了解ボタン６６は、販売希望価格を、推奨販売希望価格に変更しても良い場合に会員によって押下されるボタンであり、それが押下されることにより、この価格確認ページを表示しているユーザＰＣが，価格確認ページ上に各種情報が示されている商品の商品ＩＤと、価格了解ボタン６６が押下されたことを示す情報とを含む了解応答をオークション装置１０へ送信することになるボタンとなっている。なお、この価格確認ページを利用して、出品依頼者は、指定販売希望価格表示欄６２に予め表示されている価格を推奨販売希望価格を上限として変更することもできるようになっている。指定販売希望価格表示欄６２のデータが更新された場合には、ユーザＰＣは、価格了解ボタン６６の押下時には、上記了解応答に加え、更新後の指定販売希望価格のデータも併せてオークション装置１０へ送信することになる。また、取り下げボタン６７は、それが押下されることにより、この価格確認ページを表示しているユーザＰＣが，価格確認ページ上に各種情報が示されている商品の取下要求をオークション装置１０へ送信することになるボタンとなっている。【００６１】
要するに、ステップＳ２０９において、オークション装置１０は、出品対象商品について、オークション装置１０側で決定された推奨販売希望価格を超える販売希望価格を指定している出品依頼者に、販売希望価格を推奨販売希望価格に変更しても良いかもしくは販売希望価格を推奨販売希望価格よりも安く変更するか、出品を取り下げるかを問い合わせるための価格確認ページを出品依頼者のユーザＰＣに表示させることが出来るようにするための処理を行う。【００６２】
そのような処理をステップＳ２０９にて行ったオークション装置１０は、価格確認ページの内容を確認すべきことを通知するための価格変更依頼メールを注目商品の出品依頼者に対して送信する処理(ステップＳ２１０)を行ってから、この評価結果登録要求応答処理を終了する。【００６３】
そして、オークション装置１０は、価格変更依頼メールを受信した出品依頼者が価格確認ページを自身のユーザＰＣに表示させ、価格了解ボタン６６或いは取り下げボタン６７を押下した場合すなわち、価格確認ページを表示しているユーザＰＣから了解応答または取下要求を受信した場合には、図１３にその内容を示した了解／取下要求応答処理を開始する。【００６４】
すなわち、オークション装置１０は、まず、受信した応答が、価格の変更を了解したことを意味する了解応答であるか否かを判断する(ステップＳ３０１)。そして、オークション装置１０は、受信した応答が、価格の変更を了解したことを意味するものでなかった場合すなわち取下要求であった場合(ステップＳ３０１；ＮＯ)には、出品依頼対象商品に関するレコードを各データベースから消去する処理(ステップＳ３０６)と、取り下げ完了通知ページのソースデータを要求送信元ユーザＰＣに送信する処理(ステップＳ３０７)とをおこなってから、この了解／取下要求応答処理を終了する。【００６５】
一方、受信した応答が、価格の変更を了解したことを意味する了解応答であった場合(ステップＳ３０１；ＹＥＳ)、オークション装置１０は、販売対象商品情報データベース１４内の，出品依頼対象商品に関する掲載販売希望価格，ステータスを、推奨販売希望価格と同じ価格，“公開完”に変更する処理(ステップＳ３０２)と、該出品依頼対象商品に関する価格評価ページ用のソースデータを、変更後の各情報が初期値或いは変更不可能な情報として示される価格評価ページが表示されることになるものに加工する処理(ステップＳ３０３)とを、行う。なお、了解応答と一緒に更新後の指定販売希望価格を受信した場合には、再度、指定販売希望価格が推奨販売希望価格以下であるかどうかを確認し、推奨販売希望価格以下であれば、販売対象商品情報データベース１４内の指定販売希望価格欄を更新後の価格に変更し、出品依頼対象商品に関する掲載販売希望価格，ステータスを、更新後の指定販売希望価格と同じ価格，“公開完”に変更する。なお、確認の結果、指定販売希望価格が推奨販売希望価格を超えていれば、再びステップＳ２０２でＮＯから続く処理を行なう。【００６６】
その後、オークション装置１０は、出品依頼対象商品に関する商品紹介ページ用のソースデータを作成する処理(ステップＳ３０４)と、商品紹介ページの公開を開始したことを通知するための公開開始通知ページのソースデータを要求元ユーザＰＣに対して送信する処理(ステップＳ３０５)とを行ってから、この評価結果登録要求応答処理を終了する。【００６７】
以上、説明したように、本実施形態に係るオークション装置１０は、商品の出品依頼者が指定した入札価格の上限値が過度に高いものであった場合（図１１参照）には、出品依頼者によって出品が依頼されている商品が、そのままオークション対象となることがない装置となっている。また、入札価格の上限値を制限した形で商品のオークションを行う装置となっている。従って、このオークション装置１０を用いれば、各種商品が過度に高い価格で販売されることがない形で、各種商品のオークション販売を行える環境を実現できることになる。
【図面の簡単な説明】
【００６８】
【図１】本発明の一実施形態に係るオークション装置の構成、使用形態の説明図。
【図２】オークション装置が備える会員情報データベースの説明図。
【図３】オークション装置が備える商品情報データベースの説明図。
【図４】オークション装置が備える購入希望価格データベースの説明図。
【図５】オークション装置が備える販売対象商品情報データベースの説明図。
【図６】オークション装置が管理用ＰＣに提供するＷｅｂページの説明図。
【図７】オークション装置がユーザＰＣに提供するＷｅｂページの説明図。
【図８】オークション装置が管理用ＰＣに提供する価格評価ページの説明図。
【図９】オークション装置がユーザＰＣに提供する商品紹介ページの説明図。
【図１０】オークション装置が実行する出品依頼要求応答処理の流れ図。
【図１１】オークション装置が実行する評価結果登録要求応答処理の流れ図。
【図１２】オークション装置がユーザＰＣに提供する価格確認ページの説明図。
【図１３】オークション装置が実行する了解／取下要求応答処理の流れ図。
【符号の説明】
【００６９】
１０  オークション装置
１１  会員情報データベース、
１２  商品情報データベース
１３  購入希望価格データベース
１４  販売対象商品情報データベース
１５  オークションプログラム
【図１】
2006057051.tif 000002
【図２】
2006057051.tif 000003
【図３】
2006057051.tif 000004
【図４】
2006057051.tif 000005
【図５】
2006057051.tif 000006
【図６】
2006057051.tif 000007
【図７】
2006057051.tif 000008
【図８】
2006057051.tif 000009
【図９】
2006057051.tif 000010
【図１０】
2006057051.tif 000011
【図１１】
2006057051.tif 000012
【図１２】
2006057051.tif 000013
【図１３】
2006057051.tif 000014
【手続補正書】
【提出日】平成19年6月1日(2007.6.1)
【手続補正１】
【補正対象書類名】特許請求の範囲
【補正対象項目名】請求項１
【補正方法】変更
【補正の内容】
【請求項１】
ネットワークを介してオークションを行なうためのオークション装置であって、
多数の商品のそれぞれについて、その商品の種類及び状況に応じて基準価格を予め記憶した基準価格記憶手段と、
オークションの対象として、出品依頼対象商品の種類又は状況を示す商品情報と、指定販売希望価格とを取得する取得手段と、
当該出品依頼対象商品について、前記基準価格記憶手段に記憶されている基準価格と前記商品情報とを利用して推奨販売希望価格を算出し、算出した推奨販売希望価格が前記取得手段により取得された指定販売希望価格よりも低かった場合には、該指定販売希望価格に関する問い合わせ情報を出力する販売希望価格調整手段
とを、備えることを特徴とするオークション装置。
【手続補正２】
【補正対象書類名】明細書
【補正対象項目名】０００５
【補正方法】変更
【補正の内容】
【０００５】
上記課題を解決するために、本発明では、ネットワークを介してオークションを行なうためのオークション装置が、多数の商品のそれぞれについて、その商品の種類又は状況に応じて基準価格を予め記憶した基準価格記憶手段と、オークションの対象として、出品依頼対象商品の種類及び状況を示す商品情報と、指定販売希望価格とを取得する取得手段と、当該出品依頼対象商品について、前記基準価格記憶手段に記憶されている基準価格と前記商品情報とを利用して推奨販売希望価格を算出し、算出した推奨販売希望価格が前記取得手段により取得された指定販売希望価格よりも低かった場合には、該指定販売希望価格に関する問い合わせ情報を出力する販売希望価格調整手段とを備えた装置として構成される。
【国際調査報告】
2006057051.tif 000015
2006057051.tif 000016